(57)【要約】【課題】スクリーンセーバ作動時に画面の状態に適した省電力化を行うディスプレイ制御装置を提供する。【解決手段】入力映像信号を表示画面に表示させる液晶ディスプレイのスクリーンセーバ時において省電力の制御を行うために、バックライトの輝度を制御するディスプレイ制御装置であって、前記入力映像信号がスクリーンセーバ映像信号であるか否かを判断する判断手段と、前記入力映像信号がスクリーンセーバ映像信号であると前記判断手段が判断した場合に、前記入力映像信号を送信する上位装置より輝度調整信号を受信する受信手段と、前記輝度調整信号に基づいて、前記バックライトの輝度を制御する輝度制御手段とを備える。【選択図】図１
2006189901.tif 000002
【特許請求の範囲】
【請求項１】
入力映像信号を表示画面に表示させる液晶ディスプレイのスクリーンセーバ時において省電力の制御を行うために、バックライトの輝度を制御するディスプレイ制御装置であって、
前記入力映像信号がスクリーンセーバ映像信号であるか否かを判断する判断手段と、
前記入力映像信号がスクリーンセーバ映像信号であると前記判断手段が判断した場合に、前記入力映像信号を送信する上位装置より輝度調整信号を受信する受信手段と、
前記輝度調整信号に基づいて、前記バックライトの輝度を制御する輝度制御手段と
を備えたことを特徴とするディスプレイ制御装置。
【発明の詳細な説明】
【技術分野】
【０００１】
本発明は、パーソナルコンピュータ（以下、パソコンという）におけるディスプレイの省電力制御を行うディスプレイ制御装置とディスプレイ制御を実行させるプログラムに関するものであり、特に、ディスプレイ画面の焼け付きを防止するためのスクリーンセーバ時において省電力を行うためディスプレイ制御装置とディスプレイ制御を実行させるプログラムに関するものである。
【背景技術】
【０００２】
パソコンなどの表示装置であるＣＲＴディスプレイや液晶ディスプレイにおいては、所定画面の表示を一時休止する時などには省電力モードが使用されている。このようなディスプレイの省電力化に関する技術は、例えば、特開平８−３３１４８８号公報などに報告されている。この公報によれば、ＦＬＣＤ（Ferroelectric Liquid Crystal Display：強誘電性液晶表示器）からなるディスプレイを備えたパソコンにおいて、ＦＬＣＤインターフェースとＦＬＣＤとの間のシリアル通信線を介して行われる表示制御の技術が開示されおり、通常の画面表示を行う通常動作表示モード（Normal Mode）と、静止画像などを最適状態で表示する静止表示モード（Static Mode）と、バックライトを消灯してＦＬＣＤの表示画面を全黒状態にして低消費電力化を行うスリープモード（Sleep Mode）とが示されている。特に、省電力モードに関する具体的な実施例としては、ＦＬＣＤインターフェースとＦＬＣＤとの間のシリアル通信線にＲＳ−２３２Ｃを用いて、低消費電力モードであるスリープモードのデータのやり取りをし、バックライトを消灯してＦＬＣＤの表示画面を全黒状態にして低消費電力化を行っている。
【０００３】
また、特開平８−８６９９６号公報には、マウスキーボードが一定時間操作されないと、インバータへ調光制御信号を送信してバックライトの消費電力を５０％低減してバックライトの輝度を下げて省電力化を行う技術が開示されている。
このようにすることによって、スリープモードの状態においても表示装置の表示内容を確認することができる。尚、ＣＲＴディスプレイにおいては、ＣＲＴへの電力を一時的に停止したり、電力を削減して輝度を下げたりして省電力を行う技術は広く利用されている。
【特許文献１】特開平８−３３１４８８号公報
【特許文献２】特開平８−０８６９９６号公報
【発明の開示】
【発明が解決しようとする課題】
【０００４】
ところで、最近のパソコンは、一定時間キーボードなどの操作が行われなければＣＲＴディスプレイの焼き付き防止及び消費電力を少なくするために、表示画面に黒の部分が多いスクリーンセーバに切り換える機能が付加されている。しかし、液晶ディスプレイの場合は、スクリーンセーバに切り換えたとき、前述の特開平８−８６９９６号公報のように、輝度を下げるなどして「黒」の領域の多い画面にしているものの、依然としてバックライトに多くの電力が消費されているため、消費電力の削減効果は少ない。つまり、液晶ディスプレイの場合は、スクリーンセーバ時においてもバックライトでの消費電力が大きいため、バックライ卜輝度を変化させなければ、表示する画面の内容によっては殆ど消費電力が変化せず、スクリーンセーバが省電力化の面で有効に機能していない。尚、上記の特開平８−３３１４８８号公報の技術は、シリアル通信を用いてバックライトを消灯する技術の開示であり、スクリーンセーバ時の省電力化に対応する技術については何ら述べられていない。また、特開平８−８６９９６号公報の技術は、操作が行われなくなってから所定時間が経過したら省電力モードに切り換えるものである。したがって、スクリーンセーバ時の焼き付き防止機能はあるものの、画面の状態によっては５０％輝度に絞った程度の状態では見ずらい場合もある。要するに、スクリーンセーバ時の画面輝度が画一的であったり、所定時間が経過したら画一的に省電力モードに切り換わるため、画面の使用状態による自由度がなくなり使い勝手がよくない。
【０００５】
本発明は、上述の課題に鑑みてなされたもので、その目的とするところは、スクリーンセーバ作動時に画面の状態に適した省電力化を行うディスプレイ制御装置を提供することにあり、特に、液晶式ディスプレイにおけるバックライトの消費電力を画面の状態に合わせて削減するディスプレイ制御装置を提供することにある。
【課題を解決するための手段】
【０００６】
上記の目的を達成するため、本発明のディスプレイ制御装置は、入力映像信号を表示画面に表示させるディスプレイのスクリーンセーバ時に省電力の制御を行うディスプレイ制御装置において、入力映像信号がスクリーンセーバ映像信号であるか否かを判断する判断手段と、判断手段が入力映像信号はスクリーンセーバ映像信号であると判断した場合に、バックライトの輝度を所定値に制御する輝度制御手段とを備え、輝度制御手段は、入力映像信号がスクリーンセーバ映像信号であると判断されたときは、所定値として、バックライトの輝度を通常動作時の輝度と異なる値に設定することを特徴とする。
【０００７】
つまり、本発明のディスプレイ制御装置によれば、入力映像信号を表示画面に表示するディスプレイにおいて、例えば、ＤＤＣ(Display Data Channel)を利用してスクリーンセーバ映像信号情報を受け取ったときは、低消費電力モードに切り換えて通常動作時の輝度と異なる輝度に設定する。このようにしてスクリーンセーバ映像信号に切り換えることによってバックライトの輝度を下げるので、液晶式ディスプレイにおいても消費電力を削減することができる。
【０００８】
また、本発明のディスプレイ制御装置においては、所定値は、あらかじめ設定された輝度、もしくは通常動作時の輝度とは独立してユーザが設定した輝度であることを特徴とする。
【０００９】
つまり、本発明のディスプレイ制御装置によれば、画面操作が行われなくなってから所定時間が経過したか否かを判断するのではなく、スクリーンセーバ映像の情報を受け取ったら、直ちに、表示画面の輝度を所定値に設定する。これによって、画面の焼け付きを防止するができると共に省電力を行うこともできる。さらに、ユーザの画面使用状態に合わせて、例えば、明るい画面で使用しているときは、それよりやや暗くするなど、ユーザの好みに合わせてきめ細かいスクリーンセーバ映像に切り換えることができる。
【００１０】
また、本発明のディスプレイ制御装置においては、所定値は、入力映像信号の振幅レベルに基づいて設定された、通常動作時の輝度とは異なる輝度であることを特徴とする。
【００１１】
つまり、本発明のディスプレイ制御装置によれば、スクリーンセーバの表示画面によって輝度を自動的に設定することもできる。スクリーンセーバにはさまざまな画面があるので、暗い画面のときは輝度を下げたり、明るい画面のときは輝度を下げないようしたりすることができる。
【００１２】
また、本発明のディスプレイ制御装置においては、所定値は、ディスプレイが映像信号を送信する上位装置より輝度調整信号を受信し、この輝度調整信号に基づいて制御された輝度であることを特徴とする。
【００１３】
つまり、本発明のディスプレイ制御装置によれば、映像信号を送信する上位装置（つまりホスト側）は、スクリーンセーバ時（つまり、低消費電力モード時）の場合にＤＤＣを利用して輝度調整信号を送信する。そして、その輝度調整信号を受け取ったディスプレイは、輝度調整信号に基づいて画面の輝度を最適値に制御する。このように、ディスプレイがパソコンなどの上位装置から受信した輝度調整信号に基づいて、画面の輝度をスクリーンセーバ用または通常画面用に自動設定するので、ディスプレイ側のマイコンでの処理を大幅に低減することができる。
【００１４】
また、本発明のディスプレイ制御装置においては、判断手段は、無操作状態が所定時間以上継続したことがパソコン自身に検知されることによって、スクリーンセーバ画像への切換のために出力されるコマンドから、スクリーンセーバ映像信号があるか否かを判断することを特徴とする。
【００１５】
つまり、本発明のディスプレイ制御装置によれば、パソコンなどを使用中に無操作状態が所定時間経過したとき、スクリーンセーバ画面に切り換えるために出力されたコマンド自体をスクリーンセーバ映像信号検出用として用いることができる。したがって、従来の所定時間が経過したことのみを見てスクリーンセーバ映像信号を送信する技術とは異なっている。
【００１６】
また、本発明のディスプレイ制御装置においては、輝度制御手段は、バックライトの輝度を所定値に制御するとき、段階的に切り換えるか、スクリーンセーバの黒背景部分の比率に基づいて制御することを特徴とする。
【００１７】
つまり、本発明のディスプレイ制御装置によれば、単に、バックライトの輝度をハイからローに切り換えるのではなく、画面の明るさの環境になじむように段階的に切り換えるとか、スクリーンセーバの黒背景部分の比率によって適当な輝度レベルに設定すると、ユーザにとってはスクリーンセーバ時の画面が見やすくなる。
【００１８】
また、本発明のディスプレイ制御装置においては、輝度制御手段は、バックライトの輝度を所定値に制御するとき、スクリーンセーバ画面の領域ごとについて映像輝度の高低を判別し、映像輝度の高低に応じて、画面の領域ごとにバックライトの輝度を変えることを特徴とする。
【００１９】
つまり、本発明のディスプレイ制御装置によれば、画面の領域ごとに輝度が変えられるバックライトを用い、スクリーンセーバ画面の輝度の高い領域を判別して、その領域のみバックライトの輝度を上げることができる。これによって、例えば、スクリーンセーバを楽しむユーザはそれぞれ好みの輝度でバックライト画面を楽しむことができる。
【００２０】
また、本発明のディスプレイ制御装置は、入力映像信号を表示画面に表示させるディスプレイのスクリーンセーバ時に省電力の制御を行うディスプレイ制御装置において、入力映像信号がスクリーンセーバ映像信号であるか否かを判断する判断手段と、判断手段が入力映像信号はスクリーンセーバ映像信号であると判断した場合に、画面の輝度を所定値に制御する輝度制御手段とを備え、輝度制御手段は、入力映像信号がスクリーンセーバ映像信号であると判断されたときは、所定値として、画面の輝度を通常動作時の輝度と異なる値に設定することを特徴とする。
【００２１】
つまり、輝度制御手段が制御する「画面の輝度」とは、バックライトの輝度とＣＲＴディスプレイの画面の輝度との双方を含むことになる。したがって、本発明のディスプレイ制御装置によれば、入力映像信号がスクリーンセーバ映像信号であるときは、バックライトの輝度に限定されることなく、ディスプレイの表示画面の輝度を所定値に制御することができるので、ＣＲＴディスプレイにも適用することができる。
【００２２】
また、本発明のプログラムは、入力映像信号を表示画面に表示させるディスプレイのスクリーンセーバ時に省電力の制御を行うディスプレイ制御をコンピュータに実行させるプログラムにおいて、入力映像信号がスクリーンセーバ映像信号であるか否かを判断する判断手順と、判断手順によってスクリーンセーバ映像信号の入力であると判断された場合に、バックライトの輝度を所定値に制御する輝度制御手順とを含み、入力映像信号がスクリーンセーバ映像信号であると判断されたときに、所定値として、通常動作時の輝度と異なる輝度に設定するディスプレイ制御をコンピュータに実行させるプログラムである。
【００２３】
また、本発明のディスプレイ装置は、スクリーンセーバ時に表示画面の省電力制御を行うディスプレイ制御装置の制御によって画面に表示を行うディスプレイ装置において、入力映像信号がスクリーンセーバ映像信号であるか否かを判断する判断手段と、判断手段が入力映像信号はスクリーンセーバ映像信号であると判断した場合に、バックライトの輝度を所定値に制御する輝度制御手段と、輝度制御手段の制御によって画面に表示を行う表示手段とを備え、輝度制御手段は、入力映像信号がスクリーンセーバ映像信号であると判断されたときは、所定値としてバックライトの輝度を通常動作時の輝度と異なる値に設定して表示手段の画面に表示させることを特徴とする。
【００２４】
また、本発明のコンピュータは、スクリーンセーバ時に表示画面の省電力制御を行うディスプレイ制御装置の制御によって画面に表示を行うディスプレイ装置を備えたコンピュータにおいて、入力映像信号がスクリーンセーバ映像信号であるか否かを判断する判断手段と、判断手段が入力映像信号はスクリーンセーバ映像信号であると判断した場合に、バックライトの輝度を所定値に制御する輝度制御手段と、輝度制御手段の制御によって画面に表示を行う表示手段と、判断手段と輝度制御手段と表示手段とを制御するコンピュータ本体とを備え、輝度制御手段が、入力映像信号がスクリーンセーバ映像信号であると判断されたときは、所定値として、バックライトの輝度を通常動作時の輝度と異なる値に設定して表示手段の画面に表示させることを特徴とする。
【発明の効果】
【００２５】
本発明のディスプレイ制御装置によれば、パソコンが送信した輝度制御信号に基づいて、輝度制御信号をスクリーンセーバ用または通常画面に自動設定することができるので、マイコンでの処理が大幅に低減できる。さらに、本発明のディスプレイ制御装置によれば、ＤＤＣインターフェース以外に、ＲＳ２３２ＣやＵＳＢやその他の通信手段を用いることもできるので、ＤＤＣインターフェースを持たないシステムにも適応が可能となる。よって、スクリーンセーバ時における省電力を実現できるディスプレイ制御装置の設計自由度が一段と向上する。
【発明を実施するための最良の形態】
【００２６】
以下、図面を用いて、本発明におけるディスプレイ制御装置の実施の形態の幾つかを、液晶表示装置（液晶式ディスプレイ）に適用して詳細に説明する。図１は、本発明に係る液晶表示装置の一実施の形態を示すブロック構成図である。図１に示す液晶表示装置は、液晶パネル１とバックライト２と画素変換ＩＣ３とバックライトインバータ４とマイコン５とによって構成されている。液晶パネル１は、グラフィックや文字などを液晶で表示するＬＣＤである。この液晶パネル１には、その裏面に、液晶パネル１の背面から光を照射するバックライ卜２が取り付けられている。また、液晶パネル１は画素変換ＩＣ３に接続されており、画素変換ＩＣ３に入力された映像信号によってグラフィックや文字などの表示制御が行われる。
【００２７】
また、バックライト２はバックライトインバータ４によって駆動される。バックライトインバータ４は、バックライトインバータ電源から直流電力が供給され、ＰＷＭ制御などによってバックライト２への供給電力を制御するスイッチング回路などによって構成されている。マイコン５は、バックライトインバータ４へスイッチング信号及び輝度制御信号のデータを供給し、バックライトインバータ４のＰＷＭ波形のデューティ制御を行い、バックライト２の輝度を制御している。さらに、マイコン５は、画素変換ＩＣ３の各種設定を行うと共に、パソコン本体側のＤＤＣインターフェースに接続されて、パソコン本体側との間で情報の交換を行っている。つまり、ＤＤＣインターフェースによって、パソコン本体側のシステムがディスプレイの各種属性などを取得できるようにし、ディスプレイの能力に合わせた設定が自動的に行えるようになっている。
【００２８】
第１の実施の形態
次に、図１に示す液晶表示装置における省電力化の第１の実施の形態の動作について説明する。図示しないパソコン本体より、スクリーンセーバの映像信号に切り替わる場合に、同時にＤＣＣインターフェイスを介して、スクリーンセーバである旨の信号を、液晶表示装置側のマイコン５へ出力する。これによって、液晶表示装置側では、マイコン５が、通常使用時の画面とスクリーンセーバとの違いをＤＤＣ通信によって判別する。ここで、マイコン５が、ＤＤＣ通信によって受信した信号がスクリーンセーバであると判断した場合には、マイコン５は、バックライトインバータ４にあらかじめ決められている輝度制御信号を供給する。
すると、バックライトインバータ４は、ＰＷＭデューティを絞ってバックライト２の輝度を下げることにより消費電力を低減する。これによって、液晶パネル１は背面のバックライト２からの光の照射量が制限され、液晶パネル１の表示画面の輝度が低下する。
【００２９】
図２は、図１に示す液晶表示装置における第１の実施の形態のマイコン５の動作の流れを示すフローチャートである。先ず、マイコン５は、パソコン本体との間のＤＤＣ通信により、現在はスクリーンセーバであるか通常画面であるかを判別し（ステップＳ１）、現在はスクリーンセーバであると判断した場合は（ステップＳ１でＹＥＳの場合）、輝度制御信号をスクリーンセーバ用の設定にしてバックライトインバータ４に送信する（ステップＳ２）。これによって、バックライトインバータ４はＰＷＭ波形のデューティ幅を絞ってバックライト２への供給電力を制限するので、バックライト２の光の照射量が制限される。一方、ステップＳ１で通常画面であると判断した場合は（ステップＳ１でＮＯの場合）、輝度制御信号を通常画面用の設定にしてバックライトインバータ４に送信する（ステップＳ３）。このような制御を行うことによって、スクリーンセーバ時は、バックライトインバータ４からバックライト２への供給電力を制限するので、液晶パネル１はスクリーンセーバ画面となって消費電力を低減することができる。
【００３０】
第２の実施の形態
第１の実施の形態では、マイコン５がスクリーンセーバと判断した場合は、輝度制御信号をあらかじめ決められていた値に設定する場合について述べたが、第２の実施の形態では、ユーザが輝度制御信号を自由に設定できるようにしている。スクリーンセーバの画面は、ディスプレイで消費電力を低減するためには、全体的に黒い部分が多い画面にすればよいが、ユーザの希望によっては風景画像のような明るい画面を使用している場合もある。このような画面では、スクリーンセーバであってもユーザとしては明るく使用したい場合がある。
【００３１】
これに対応するために、ユーザが、通常画面とは別に、スクリーンセーバの明るさを任意に設定できるようにする。そして、ユーサが設定したスクリーンセーバの明るさの値を記憶しておき、スクリーンセーバと判断した場合には、あらかじめスクリーンセーバ時に記憶しておいた値に輝度制御信号を設定し、通常画面と判断した場合は輝度制御信号を通常画面時の設定にする。これによって、スクリーンセーバ時の画面輝度を、通常画面とは別に、ユーザの好みに合せた明るさに設定することができる。
【００３２】
第３の実施の形態
第１、第２の実施の形態では、スクリーンセーバ時の輝度制御信号の設定は、あらかじめ決められていた値、もしくはユーザが任意に設定した値としたが、第３の実施の形態では、スクリーンセーバの表示画面によって輝度制御信号を自動的に設定することもできる。つまり、スクリーンセーバにはさまざまな画面があるので、第３の実施の形態として、暗い画面のときは輝度を下げ、明るい画面のときは輝度を下げないようにするという処理を自動的に行うこともできる。第３の実施の形態の場合もブロック図の構成は図１と同様であるが、画素変換ＩＣ３の機能として、入力される映像信号の振幅が読み取れるようになっていること、及びその読み取り結果がマイコン５と通信可能となっていることが付加される。
【００３３】
つまり、画素変換ＩＣ３は、入力された映像信号の振幅レベルを検出できるようになっており、この検出されたデータに基づいてマイコン５で処理を行い、スクリーンセーバ画面が暗い画面か明るい画面かを検出することができる。このような画面の明るさの検出結果によって、マイコン５が輝度制御信号を自動設定し、バックライトインバータ４へ送信する。したがって、バックライト２はあらかじめ設定された所望の輝度となる。
【００３４】
図３は、本発明の第３の実施の形態において、スクリーンセーバ画面の明るさに応じてマイコンが輝度制御信号を自動設定する動作の流れを示すフローチャートである。図３において、マイコン５が、パソコン本体側からのＤＤＣ通信によってスクリーンセーバであるか通常画面であるかを判定し（ステップＳ１１）、スクリーンセーバであると判定した場合は（ステップＳ１１でＹＥＳの場合）、マイコン５は、画素変換ＩＣ３から入力映像信号の振幅レベルを受信する（ステップＳ１２）。そして、マイコン５は、受信した振幅レベルのデータに基づいてスクリーンセーバ画面の明るさを検出し（ステップＳ１３）、この検出結果から輝度制御信号を算出して設定し、バックライトインバータ４に送信する（ステップＳ１４）。また、ステップＳ１１において、ＤＤＣ通信によって通常画面であると判断した場合は（ステップＳ１１でＮＯの場合）、輝度制御信号を通常画面用の設定にしてバックライトインバータ４に送信する（ステップＳ１５）。
【００３５】
第３の実施の形態では、マイコン５が、スクリーンセーバ画面の明るさを検出して自動的に輝度制御信号を設定しているので、ユーザがスクリーンセーバ画面を変更した場合、ユーザは輝度をわざわざ設定する手順を省くことができるし、全体的に黒い画面が多い場合には、自動的に消費電力を低減することができる。
【００３６】
第４の実施の形態
第１、第２、第３の実施の形態では、パソコンはＤＤＣ通信によってスクリーンセーバ時を識別する信号を送信しているが、第４の実施の形態として、パソコンから輝度制御信号を送信するようにしてもよい。尚、第４の実施の形態の場合もブロック図の構成は図１と同様である。図４は、本発明の第４の実施の形態において、パソコンから輝度制御信号を送信してバックライトを制御する場合のマイコンの動作の流れを示すフローチャートである。
【００３７】
図４において、先ず、マイコン５は、パソコン側からのＤＤＣ通信によりスクリーンセーバであるか通常画面であるかを判定する（ステップＳ２１）。そして、スクリーンセーバであると判定した場合は（ステップＳ２１でＹＥＳの場合）、パソコンから輝度制御信号を受信する（ステップＳ２２）。そして、マイコン５は、受信した輝度制御信号のデータに基づいてスクリーンセーバ用の輝度制御信号を算出し設定する（ステップＳ２３）。一方、ステップＳ２１で通常画面と判断した場合は（ステップＳ２１でＮＯの場合）、マイコン５は、輝度制御信号を通常画面用に設定にする（ステップ２４）。尚、パソコンからの輝度制御信号は、固定値もしくは第２の実施の形態のように、スクリーンセーバの画面により変化させてもよい。
【００３８】
第４の実施の形態によれば、パソコンから受信した輝度制御信号に基づいて、輝度制御信号をスクリーンセーバ用または通常画面に自動設定することができるので、マイコンでの処理が大幅に低減できる。また、第２の実施の形態のように、スクリーンセーバの画面により輝度制御信号を変化させる場合でも、画素変換ＩＣ３に必要な入力映像信号の振幅レベル判定機能が不要になり、画素変換１Ｃ３の選択範囲が広がる。
【００３９】
以上述べた実施の形態は本発明を説明するための一例であり、本発明は、上記の実施の形態に限定されるものではなく、発明の要旨の範囲で種々の変形が可能である。つまり、上記の第１の実施の形態から第４の実施の形態までは、パソコンと液晶表示装置との間の通信線として、ＤＤＣインターフェースを用いる場合について述べたが、これに限ることはなく、例えば、ＲＳ２３２Ｃ、ＵＳＢ、その他の通信手段を用いても本発明のディスプレイ制御装置を実現することができるのは云うまでもない。つまり、ＤＤＣインターフェースを持たない他のシステムにも適応可能である。また、上記の実施の形態では、液晶ディスプレイについて述べたが、ＣＲＴディスプレイ、ＰＤＰ、ＦＥＤ等の表示装置全般に適応できることは云うまでもない。これによって、パソコンに使用される液晶ディスプレイ、ＣＲＴディスプレイ、ＰＤＰ、ＦＥＤ等の表示装置に対し、スクリーンセーバでの一層の低消費電力化が実現できる。
【図面の簡単な説明】
【００４０】
【図１】本発明に係る液晶表示装置の一実施の形態を示すブロック構成図である。
【図２】図１に示す液晶表示装置における第１の実施の形態のマイコンの動作の流れを示すフローチャートである。
【図３】本発明の第３の実施の形態において、スクリーンセーバ画面の明るさに応じてマイコンが輝度制御信号を自動設定する動作の流れを示すフローチャートである。
【図４】本発明の第４の実施の形態において、パソコンから輝度制御信号を送信してバックライトを制御する場合のマイコンの動作の流れを示すフローチャートである。
【符号の説明】
【００４１】
１…液晶パネル、２…バックライト、３…画素変換ＩＣ、４…バックライトインバータ、５…マイコン
【図１】
2006189901.tif 000003
【図２】
2006189901.tif 000004
【図３】
2006189901.tif 000005
【図４】
2006189901.tif 000006